(57)【要約】【課題】前可動ルーバを振ったときの風の指向性を向上させることができるレジスタを提供する。【解決手段】前可動ルーバ３は、１枚の中央フィン７と、空気吹出口内の両側の壁面に設けた収納凹部６ａ，６ｂに収納可能な上補助フィン８及び下補助フィン９とを備える。中央フィン７は下流側端部近傍の両側に設けた支軸７ａにより回動可能に軸支される。上補助フィン８及び下補助フィン９は、上流側端部近傍の両側に設けた支軸により、各々下流側端部を流路側に迫り出すように回動可能に軸支される。中央フィン７を空気吹出口の短手方向に振ったとき、上補助フィン８は下流側端部を流路側に向けて迫り出すとともに、下補助フィン９は中央フィン７と平行で且つ接近して大形の一枚のフィンとして機能するように回動させるカムリンク機構１０が設けられる。【選択図】図２
2014031055.tif 000002
【特許請求の範囲】
【請求項１】
細長の長方形状の空気吹出口を有し、該空気吹出口の内側に、複数の前フィンを回動可能に設けた前可動ルーバを配設したレジスタにおいて、
該前可動ルーバは、１枚の中央フィンを該空気吹出口内の略中央に該空気吹出口の長手方向と平行な軸の回りで回動可能に軸支する一方、該空気吹出口内の両側の壁面に設けた収納凹部に１対の補助フィンを収納可能に且つ該中央フィンと平行に該中央フィンの軸と平行な軸の回りで回動可能に軸支して構成され、
該中央フィンは下流側端部近傍の両側に設けた支軸により回動可能に軸支され、該１対の補助フィンは上流側端部近傍の両側に設けた支軸により、各々下流側端部を流路側に迫り出すように回動可能に軸支され、
該中央フィンを該空気吹出口の短手方向に振ったとき、該一方の補助フィンは下流側端部を流路側に向けて迫り出すとともに、該他方の補助フィンは該中央フィンと平行で且つ接近して大形の一枚のフィンとして機能するように回動させるカムリンク機構が設けられ、
該カムリンク機構は、回転可能に軸支されたカムプレートに複数のカム溝を設け、該カム溝に、該中央フィンの支軸に連結されたリンク部材の係合ピンを係合させ、且つ該１対の補助フィンの支軸に連結されたリンク部材の係合ピンを係合させて構成されたことを特徴とするレジスタ。
【請求項２】
前記カムリンク機構の前記カムプレートには前記１対の補助フィンのリンク部材の係合ピンが係合する２本のカム溝が対称形状で形成され、該カムプレートの回転軸は、前記補助フィンの先端位置より上流側に配置されたことを特徴とする請求項１記載のレジスタ。
【請求項３】
水平横方向に長く上下縦方向に短い細長の空気吹出口を有し、該空気吹出口の内側前部に該水平横方向に沿って前可動ルーバが配設され、該空気吹出口が上部を上流側に後退させ下部を下流側に突き出すように傾斜して形成されたレジスタにおいて、
該前可動ルーバは１枚の中央横フィンを該空気吹出口内側の略上下中央に該水平横方向に向け回動可能に軸支する一方、該空気吹出口内側の上壁面に設けた収納凹部に上補助横フィンを収納可能に且つ該水平横方向に向けて回動可能に軸支し、該空気吹出口内側の下壁面に設けた収納凹部に下補助横フィンを収納可能に該水平横方向に向けて回動可能に軸支して構成され、
該中央横フィンは下流端部近傍の両側に設けた支軸により回動可能に軸支され、該上補助横フィン及び下補助横フィンは上流端部近傍の両側に設けた支軸により、下流側端部を流路側に迫り出すように回動可能に軸支され、
該中央横フィンを上側または下側に振ったとき、該上補助横フィンまたは該下補助横フィンが下流側端部を流路側に向けて迫り出すとともに、該下補助横フィンまたは該上補助横フィンが該中央横フィンと平行で且つ接近して大形の一枚のフィンとして機能させるように回動させる該カムリンク機構が設けられ、
該カムリンク機構は、回転可能に軸支されたカムプレートに複数のカム溝を有し、該カム溝には、該中央横フィンの支軸に連結されたリンク部材の係合ピン及び該上補助横フィン及び下補助横フィンの支軸に連結されたリンク部材の係合ピンを係合させて構成されたことを特徴とするレジスタ。
【請求項４】
前記カムリンク機構の前記カムプレートには前記上補助横フィン及び下補助横フィンの各リンク部材の係合ピンが係合する２本のカム溝が対称形状で形成され、該カムプレートの回転軸は、前記上補助横フィン及び下補助横フィンの先端位置より上流側に配置されたことを特徴とする請求項３記載のレジスタ。
【請求項５】
上下縦方向に長く水平横方向に短い細長の空気吹出口を有し、該空気吹出口の内側前部に該上下縦方向に沿って前可動ルーバが配設され、該空気吹出口が一方の側部を上流側に後退させ他方の側部を下流側に突き出すように傾斜して形成されたレジスタにおいて、
該前可動ルーバは１枚の中央縦フィンを該空気吹出口内後退側の略左右中央に該上下縦方向に向け回動可能に軸支する一方、該空気吹出口内の後退側の側壁面に設けた収納凹部に後退側補助縦フィンを収納可能に且つ該上下縦方向に向けて回動可能に軸支し、該空気吹出口内側の突出側の側壁面に設けた収納凹部に突出側補助縦フィンを収納可能に該上下縦方向に向けて回動可能に軸支して構成され、該中央縦フィンは下流側端部近傍の両側に設けた支軸により回動可能に軸支され、該後退側補助縦フィン及び突出側補助縦フィンは上流側端部近傍の両側に設けた支軸により、下流側端部を流路側に迫り出すように回動可能に軸支され、該中央縦フィンを右または左に振ったとき、該後退側補助縦フィン及び該突出側補助縦フィンは下流側端部を流路側に向けて迫り出すとともに、該突出側補助縦フィンまたは該後退側補助縦フィンが該中央縦フィンと平行で且つ接近して大形の一枚のフィンとして機能させるように回動させるカムリンク機構が設けられ、該カムリンク機構は、回転可能に軸支されたカムプレートに複数のカム溝を設け、該カム溝に、該中央縦フィンの支軸に連結されたリンク部材の係合ピンを係合させ、且つ該後退側補助縦フィン及び突出側補助縦フィンの支軸に連結されたリンク部材の係合ピンを係合させて構成されたことを特徴とするレジスタ。
【請求項６】
前記カムリンク機構の前記カムプレートには前記後退側補助縦フィン及び突出側補助縦フィンの各リンク部材の係合ピンが係合する２本のカム溝が対称形状で形成され、該カムプレートの回転軸は、前記後退側補助縦フィン及び突出側補助縦フィンの先端位置より上流側に配置されたことを特徴とする請求項５記載のレジスタ。
【発明の詳細な説明】
【技術分野】
【０００１】
本発明は、自動車等の空調の空気吹出口に使用される空気吹出調整用のレジスタに関し、特に細長形状の空気吹出口を有する薄型レジスタに好適なレジスタに関する。
【０００２】
自動車等の空調の空気吹出口に使用される空気吹出調整用のレジスタとして、通風路を形成するベゼルまたはリテーナ内に、横可動ルーバと縦可動ルーバを直交方向に前後して配設し、ベゼルに設けた空気吹出口から空気を吹き出す際、横可動ルーバ、縦可動ルーバの各フィンの角度を変えて空気の吹出し方向を上下左右に調整するレジスタが、自動車の空調装置などで使用されている。
【０００３】
この種のレジスタとして、細長の長方形状の空気吹出口を有し、空気吹出口の内側に１〜３枚程度の少数の可動フィンを設けた薄型レジスタが、主として意匠性やデザイン的なデマンドから、自動車の室内に設置される場合がある（例えば特許文献１等参照）。
【０００４】
この薄型レジスタは、細長形状の空気吹出口の内側に、その長手方向に沿って、１枚乃至３枚の横フィンを有する前可動ルーバが配設され、前可動ルーバの横フィンが細長形状の空気吹出口の長手方向に沿って配設される。
【先行技術文献】
【特許文献】
【０００５】
【特許文献１】特開２００２−１０３９５４号公報
【発明の概要】
【発明が解決しようとする課題】
【０００６】
このため、前可動ルーバの横フィンを上または下に振って、送風方向を斜め上方または斜め下方に向けたとき、通風路及び空気吹出口の上下幅が短い薄型レジスタでは、通風路の上下壁面に沿って、比較的速度の速い空気流が真直ぐに流れる。このため、例えば横フィンを上に振ったとき、上壁面近傍を真直ぐに流れる空気流が斜め上方への空気流を乱し、逆に横フィンを下に振ったとき、下壁面近傍を真直ぐに流れる空気流が斜め下方への空気流を乱しやすく、横フィンを上下に振ったときの風の指向性が悪化しやすい。
【０００７】
また、この種の薄型レジスタは、通常、長手方向に長く短手方向に短い長方形で短手方向に傾斜した空気吹出口を有し、その空気吹出口はトータル的なデザインによっては、レジスタの前面の傾斜つまり空気吹出口の垂直面に対する傾斜角度が大きくなる（水平面に対する傾斜角度が小さくなる）場合がある。
【０００８】
このような空気吹出口前面が傾斜した薄型のレジスタでは、特に、その傾斜側に（下側に）前フィンを振った場合、下側の空気流が空気吹出口の下壁面に沿って真直ぐ正面に吹出されるため、斜め下方に向かう空気流と干渉し、これにより、下方への送風時の風の指向性が悪化しやすく、空気吹出口前面の垂直面に対する傾斜角度が大きくなるほど、下向き送風の指向性が悪化しやすいという課題がある。
【０００９】
本発明は、上述の課題を解決するものであり、前可動ルーバを振ったときの風の指向性を向上させることができるレジスタを提供することを目的とする。
【課題を解決するための手段】
【００１０】
本発明に係るレジスタは、細長の長方形状の空気吹出口を有し、該空気吹出口の内側に、複数の前フィンを回動可能に設けた前可動ルーバを配設したレジスタにおいて、
該前可動ルーバは、１枚の中央フィンを該空気吹出口内の略中央に該空気吹出口の長手方向と平行な軸の回りで回動可能に軸支する一方、該空気吹出口内の両側の壁面に設けた収納凹部に１対の補助フィンを収納可能に且つ該中央フィンと平行に該中央フィンの軸と平行な軸の回りで回動可能に軸支して構成され、
該中央フィンは下流側端部近傍の両側に設けた支軸により回動可能に軸支され、該１対の補助フィンは上流側端部近傍の両側に設けた支軸により、各々下流側端部を流路側に迫り出すように回動可能に軸支され、
該中央フィンを該空気吹出口の短手方向に振ったとき、該一方の補助フィンは下流側端部を流路側に向けて迫り出すとともに、該他方の補助フィンは該中央フィンと平行で且つ接近して大形の一枚のフィンとして機能するように回動させるカムリンク機構が設けられ、
該カムリンク機構は、回転可能に軸支されたカムプレートに複数のカム溝を設け、該カム溝に、該中央フィンの支軸に連結されたリンク部材の係合ピンを係合させ、且つ該１対の補助フィンの支軸に連結されたリンク部材の係合ピンを係合させて構成されたことを特徴とする。
【００１１】
なお、ここで、上流側、下流側とは流路を流れる空気流の上流側または下流側を意味し、各部材において、前部は下流側の部位、後部は上流側の部位を意味する。
【００１２】
この発明によれば、中央フィンを空気吹出口の短手方向に、つまり空気吹出口が横長であれば上下に、空気吹出口が横長であれば左右に振ったとき、両側の補助フィンの一方が中央フィンと平行になり且つ相互に接近して一枚の大形フィンとして機能するため、中央フィンを振ったときの風の指向性を向上させることができる。
【００１３】
さらに、中央フィンを振ったとき、一方の補助フィンと中央フィンが一枚の大形フィンとして機能するとともに、流路側に迫り出した他方の補助フィンが空気流を中央フィンに押し付けるように作用し、且つ空気吹出口内の壁面に沿って真直ぐ正面に吹出される空気流の発生が防止され、前可動ルーバを上下または左右に振ったときの風の指向性が向上する。
【００１４】
また、カムリンク機構が、回転可能に軸支されたカムプレートに複数のカム溝を設け、カム溝に、中央フィンの支軸に連結されたリンク部材の係合ピンを係合させ、１対の補助フィンの支軸に連結されたリンク部材の係合ピンをカム溝に係合させて構成されるので、カムリンク機構が１枚のカムプレートと３本のリンク部材という非常に少ない部品点数と簡易な構造で構成することができ、これにより、機構の動きがスムーズとなり、且つカムリンク機構をレジスタ本体の側壁の外側に配設した場合でも、レジスタ本体からカムプレートやリンク部材が迫り出すことがなく、カムリンク機構をコンパクトに構成することができる。
【００１５】
また、中央フィンの支軸は下流側端部近傍に位置するので、中央フィンを振った際、正面側に現れて変化する部位が少なく、これによりレジスタの見栄えが良好となる。また、中央フィンの支軸が下流端部近傍に位置するため、中央フィンに摺動可能に装着された操作ノブの前方への突出長を長くすることができ、これにより、操作ノブの操作性を良くすることができる。
【００１６】
ここで、上記レジスタにおいて、上記カムリンク機構のカムプレートには１対の補助フィンのリンク部材の係合ピンが係合する２本のカム溝が対称形状で形成され、該カムプレートの回転軸は、前記補助フィンの先端位置より上流側に配置することが好ましい。これによれば、中央フィンの動きと連動して回動する１対の補助フィンを動作させるカムリンク機構の動きを、一層スムーズに且つコンパクトに構成することができる。これにより、レジスタ本体の外側に迫り出す部分をなくして、狭いスペースであってもレジスタを装着することができ、且つ中央フィンの回動操作に応じて補助フィンをスムーズに回動させることができる。
【００１７】
他の発明のレジスタは、水平横方向に長く上下縦方向に短い細長の空気吹出口を有し、該空気吹出口の内側前部に該水平横方向に沿って前可動ルーバが配設され、該空気吹出口が上部を上流側に後退させ下部を下流側に突き出すように傾斜して形成されたレジスタにおいて、
該前可動ルーバは１枚の中央横フィンを該空気吹出口内側の略上下中央に該水平横方向に向け回動可能に軸支する一方、該空気吹出口内側の上壁面に設けた収納凹部に上補助横フィンを収納可能に且つ該水平横方向に向けて回動可能に軸支し、該空気吹出口内側の下壁面に設けた収納凹部に下補助横フィンを収納可能に該水平横方向に向けて回動可能に軸支して構成され、
該中央横フィンは下流端部近傍の両側に設けた支軸により回動可能に軸支され、該上補助横フィン及び下補助横フィンは上流端部近傍の両側に設けた支軸により、下流側端部を流路側に迫り出すように回動可能に軸支され、
該中央横フィンを上側または下側に振ったとき、該上補助横フィンまたは該下補助横フィンは下流側端部を流路側に向けて迫り出すとともに、該下補助横フィンまたは該上補助横フィンが該中央横フィンと平行で且つ接近して大形の一枚のフィンとして機能させるカムリンク機構が設けられ、
該カムリンク機構は、回転可能に軸支されたカムプレートに複数のカム溝を有し、該カム溝には、該中央横フィンの支軸に連結されたリンク部材の係合ピン及び該上補助横フィン及び下補助横フィンの支軸に連結されたリンク部材の係合ピンを係合させて構成されたことを特徴とする。
【００１８】
この発明によれば、中央横フィンを上下に振ったとき、上補助横フィンまたは下補助横フィンが中央横フィンと平行になり且つ相互に接近して一枚の大形フィンとして機能するため、中央横フィンを上下に振ったときの風の指向性を向上させることができる。
【００１９】
特に、中央横フィンを空気吹出口の下側に振ったとき、上補助横フィンと中央横フィンが一枚の大形フィンとして機能するとともに、流路側に迫り出した下補助横フィンが空気流を中央横フィンの側面に押し付けるように作用するため、空気吹出口の下側に中央横フィンを振った際の風の指向性を向上させることができる。
【００２０】
また、カムリンク機構が、カムプレートに複数のカム溝を設け、カム溝に、中央横フィンの支軸に連結されたリンク部材の係合ピンを係合させ、上補助横フィン及び下補助横フィンの支軸に連結されたリンク部材の係合ピンをカム溝に係合させて構成されるので、カムリンク機構が１枚のカムプレートと３本のリンク部材という非常に少ない部品点数と簡易な構造で構成することができ、これにより、機構の動きがスムーズとなり、且つカムリンク機構をレジスタ本体の側壁の外側に配設した場合でも、レジスタ本体からカムプレートやリンク部材が迫り出すことがなく、カムリンク機構をコンパクトに構成することができる。
【００２１】
さらに他の発明のレジスタは、上下縦方向に長く水平横方向に短い細長の空気吹出口を有し、該空気吹出口の内側前部に該上下縦方向に沿って前可動ルーバが配設され、該空気吹出口が一方の側部を上流側に後退させ他方の側部を下流側に突き出すように傾斜して形成されたレジスタにおいて、
該前可動ルーバは、１枚の中央縦フィンを該空気吹出口内後退側の略左右中央に該上下縦方向に向け回動可能に軸支する一方、該空気吹出口内突出側の側壁面に設けた収納凹部に後退側補助縦フィンを収納可能に且つ該上下縦方向に向けて回動可能に軸支し、該空気吹出口内側の側壁面に設けた収納凹部に突出側補助縦フィンを収納可能に該上下縦方向に向けて回動可能に軸支して構成され、
該中央縦フィンは下流側端部近傍の両側に設けた支軸により回動可能に軸支され、該後退側補助縦フィン及び突出側補助縦フィンは上流側端部近傍の両側に設けた支軸により、下流側端部を流路側に迫り出すように回動可能に軸支され、
該中央縦フィンを右または左に振ったとき、該後退側補助縦フィン及び該突出側補助縦フィンは下流側端部を流路側に向けて迫り出すとともに、該突出側補助縦フィンまたは該後退側補助縦フィンが該中央縦フィンと平行で且つ接近して大形の一枚のフィンとして機能させるカムリンク機構が設けられ、
該カムリンク機構は、回転可能に軸支されたカムプレートに複数のカム溝を設け、該カム溝に、該中央縦フィンの支軸に連結されたリンク部材の係合ピンを係合させ、且つ該後退側補助縦フィン及び突出側補助縦フィンの支軸に連結されたリンク部材の係合ピンを係合させて構成されたことを特徴とする。
【００２２】
この発明によれば、中央縦フィンを左右に振ったとき、後退側補助縦フィンまたは突出側補助縦フィンが中央縦フィンと平行になり且つ相互に接近して一枚の大形フィンとして機能するため、中央縦フィンを左右に振ったときの風の指向性を向上させることができる。
【００２３】
特に、中央縦フィンを空気吹出口の突出側に振ったとき、後退側補助縦フィンと中央縦フィンが一枚の大形フィンとして機能するとともに、流路側に迫り出した突出側補助縦フィンが空気流を中央縦フィンの側面に押し付けるように作用し、且つ空気吹出口内の壁面に沿って真直ぐ正面に吹出される空気流の発生を防止して、空気吹出口の突出側に中央縦フィンを振った際の風の指向性を向上させることができる。
【００２４】
また、カムリンク機構が、カムプレートに複数のカム溝を設け、カム溝に、中央縦フィンの支軸に連結されたリンク部材の係合ピンを係合させ、後退側補助縦フィン及び突出側補助縦フィンの支軸に連結されたリンク部材の係合ピンをカム溝に係合させて構成されるので、カムリンク機構が１枚のカムプレートと３本のリンク部材という非常に少ない部品点数と簡易な構造で構成することができ、これにより、機構の動きがスムーズとなり、且つカムリンク機構をレジスタ本体の側壁の外側に配設した場合でも、レジスタ本体からカムプレートやリンク部材が迫り出すことがなく、カムリンク機構をコンパクトに構成することができる。
【発明の効果】
【００２５】
本発明のレジスタによれば、細長形状の空気吹出口を有する薄型のレジスタであっても、前可動フィンを振った際の風の指向性を向上させることができ、また、カムリンク機構の構成及び動作をコンパクト化して、レジスタ本体からのカムリンク機構の迫り出しを防止することができる。
【図面の簡単な説明】
【００２６】
【図１】本発明の第１実施形態を示すレジスタの正面図である。
【図２】同レジスタの左側面図である。
【図３】図１のIII-III断面図である。
【図４】図１のIV-IV断面図である。
【図５】前可動ルーバを上に振ったときの左側面図（ａ）と断面図（ｂ）である。
【図６】前可動ルーバを下に振ったときの左側面図（ａ）と断面図（ｂ）である。
【図７】第２実施形態のレジスタの左側面図である。
【図８】図７のレジスタの縦断面図である。
【図９】前可動ルーバを上に振ったときの左側面図（ａ）と断面図（ｂ）である。
【図１０】前可動ルーバを下に振ったときの左側面図（ａ）と断面図（ｂ）である。
【図１１】第３実施形態を示すレジスタの正面図である。
【図１２】同レジスタの底面図である。
【図１３】図１１のレジスタのXIII-XIII断面図である。
【図１４】前可動ルーバを左に振ったときの底面図（ａ）と断面図（ｂ）である。
【図１５】前可動ルーバを右に振ったときの底面図（ａ）と断面図（ｂ）である。
【発明を実施するための形態】
【００２７】
以下、本発明の一実施形態を図面に基づいて説明する。図１〜図６は第１実施形態のレジスタを示しており、そのレジスタ本体１は、正面に、横長の長方形状の空気吹出口１５を開口形成し、意匠面を形成するベゼル１ａと、ベゼル１ａの後部上流側に接続されたダクト状のリテーナ２とから構成される。
【００２８】
ベゼル１ａの空気吹出口１５は、図１に示すように、水平横方向に細長い長方形状に形成され、長手方向（水平横方向）に長く短手方向（上下縦方向）に短い横長の長方形となっており、リテーナ２の横断面形状も同様の横長の長方形に形成され、所謂薄型レジスタを構成している。
【００２９】
ベゼル１ａの背面側にはリテーナ２に連結するための図示しない嵌合部が設けられ、その嵌合部にリテーナ２が嵌合・接続される。ベゼル１ａの空気吹出口１５内側の左右側壁には、前可動ルーバ３用の軸受部が形成され、両側の軸受部には、前可動ルーバ３の中央横フィン７の両側端部に突出した支軸７ａが支持され、同様に、上補助横フィン８の両側端部に突出した支軸８ａ、及び下補助横フィン９の両側に突出した支軸９ａが、両側壁部の軸受部に各々支持される。これにより、中央横フィン７、上補助横フィン８、及び下補助横フィン９は所定の角度範囲で上下に回動可能に軸支される。
【００３０】
中央横フィン７、上補助横フィン８、及び下補助横フィン９は、上記本発明の構成要素としての中央フィン及び１対の補助フィンの一例を構成するものである。
【００３１】
リテーナ２は、横断面を横長の長方形とするダクト状に形成され、内部に通風用の流路５が形成されている。リテーナ２の下流側縁部の上壁と下壁に軸受部が所定間隔で形成され、それらの軸受部に図３、４に示すように後可動ルーバ４の縦フィン４ａが支軸４ｂにより軸支される。後可動ルーバ４の各縦フィン４ａは所定の角度範囲で左右に連動して回動するようになっている。このリテーナ２の前部に、略長方形の空気吹出口１５を開口形成したベゼル１ａが、その空気吹出口１５を流路５の開口部に合わせた状態で嵌着され、流路５はリテーナ２内からベゼル１ａの空気吹出口１５まで連通して形成される。
【００３２】
前可動ルーバ３は、上下に回動調整可能な１枚の中央横フィン７と、中央横フィン７の上方と下方位置に配設され、中央横フィン７の回動操作に応じて上下に回動する上補助横フィン８及び下補助横フィン９と、中央横フィン７の回動に連動して上補助横フィン８及び下補助横フィン９を回動させるカムリンク機構１０と、を備えて構成される。
【００３３】
カムリンク機構１０は、図１,２に示すように、レジスタ本体１の側壁の外側に配設され、１枚のカムプレート１１を回転軸１１ａにより回動可能に軸支している。カムプレート１１には、中央横フィン７用のカム溝１１ｄと、上補助横フィン８と下補助横フィン９用のカム溝１１ｂ、１１ｃが形成されている。カムプレート１１の回転軸１１ａは、図２に示すように、上補助横フィン８と下補助横フィン９の先端位置より上流側に配置され、その回転軸１１ａの上下両側の対称位置に、カム溝１１ｂ、１１ｃが対称形状（カムプレートの中心線の線対称）で形成されている。中央横フィン７用のカム溝１１ｄは、カムプレート１１の前部寄りに形成されている。
【００３４】
中央横フィン７は、空気吹出口１５の長手方向に沿って、その略中央に配設され、フィンの両端に支軸７ａが突設され、空気吹出口１５の内側で、両側の支軸７ａを介して上下に回動可能に軸支される。図１、２、４に示すように、一方の支軸７ａは流路５の側壁を貫通して外側に突出し、その支軸７ａの先端にリンク部材１４が軸着される。中央横フィン７のリンク部材１４の先端に係合ピン１４ａが突設され、この係合ピン１４ａはカムプレート１１のカム溝１１ｄに係合する。
【００３５】
図１、３に示すように、中央横フィン７の支軸７ａは正面視で流路５の略中央に位置し、中央横フィン７の上方に上補助横フィン８が水平に配設され、中央横フィン７の下方に下補助横フィン９が水平に配設される。上補助横フィン８の両端には支軸８ａが突設され、さらに下補助横フィン９の両端には支軸９ａが突設され、両側の支軸８ａ，９ａはレジスタ本体１の側壁に設けた軸孔に挿通されて回動可能に支持されている。上補助横フィン８と下補助横フィン９の支軸８ａ，９ａの位置は、側面視で各フィンの上流側端部に位置し、上補助横フィン８及び下補助横フィン９の前部が自由端となっており、後述のように、中央横フィン７の回動操作に応じて、上補助横フィン８と下補助横フィン９はその自由端の前部を流路５側に迫り出すようになっている。
【００３６】
また、図３に示すように、レジスタ本体１内の上壁面には収納凹部６ａが形成され、支軸８ａにより軸支される上補助横フィン８は、その収納凹部６ａ内に水平状態で収納され、その前端部を下側に回動可能としている。また、レジスタ本体１内の下壁面には収納凹部６ｂが形成され、支軸９ａにより軸支される下補助横フィン９は、その収納凹部６ｂ内に水平状態で収納され、その前端部を上側に回動可能としている。
【００３７】
上補助横フィン８の一方の支軸８ａは側壁を貫通して外側に突出し、その支軸８ａの先端に、リンク部材１２が軸着され、リンク部材１２の先端には、係合ピン１２ａが突設される。同様に、下補助横フィン９の一方の支軸９ａは側壁を貫通して外側に突出し、その支軸９ａの先端に、リンク部材１３が軸着され、リンク部材１３の先端には、係合ピン１３ａが突設される。この係合ピン１２ａは、上記構成のカムプレート１１のカム溝１１ｂに係合し、係合ピン１３ａは、カムプレート１１のカム溝１１ｃに係合する。さらに、上記の如く、カムプレート１１の前部にカム溝１１ｄが形成され、そのカム溝１１ｄには、中央横フィン７の支軸７ａに軸着されたリンク部材１４の係合ピン１４ａが係合する。
【００３８】
このようなカムリンク機構１０の構成により、図５の如く、中央横フィン７を上側に回動操作したとき、上補助横フィン８はその前端部を斜め下方に向けるように回動して流路５側に迫り出す状態となり、下補助横フィン９はその前端部を中央横フィン７側に向けて、中央横フィン７と平行で且つ接近し、大形の一枚のフィンとして機能させるように回動させる。また、図６のように、中央横フィン７を下側に回動操作したとき、下補助横フィン９はその前端部を斜め上方に向けるように回動して流路５側に迫り出す状態となり、上補助横フィン８はその前端部を中央横フィン７側に向け、中央横フィン７と平行で且つ接近して、大形の一枚のフィンとして機能させるように回動させる構造となっている。
【００３９】
特に、カムリンク機構１０のカムプレート１１には、上補助横フィン８のリンク部材１２の係合ピン１２ａが係合するカム溝１１ｂと、下補助横フィン９のリンク部材１３の係合ピン１３ａが係合するカム溝１１ｃとが、対称位置に形成され、且つカムプレート１１の回転軸１１ａが、上補助横フィン８及び下補助横フィン９の先端位置より上流側に配置される構成、つまり１枚のカムプレートと３本のリンク部材のみという非常に少ない部品点数で、且つ各部材の形状及びカム溝の形状が非常にシンプルであるという構成が、採用される。
【００４０】
これにより、図５，６に示す如く、カムリンク機構１０は、その構成をコンパクトにすることができ、且つ中央横フィン７の動きと連動して上補助横フィン８及び下補助横フィン９を回動させるカムリンク機構１０の動きもコンパクト化することができる。
【００４１】
したがって、薄型レジスタのレジスタ本体１のように、その高さが低い場合であっても、カムリンク機構１０はレジスタ本体１の外側に迫り出す部分をなくして、狭いスペースであってもレジスタを装着することができる。また、図５,６に示す如く、その作動時でも、カムリンク機構１０のカムプレート１１、リンク部材１２，１３，１４はレジスタ本体１の上面または下面から突出することはない。
【００４２】
さらに、カムリンク機構１０は１枚のカムプレート１１と３本のリンク部材１２，１３，１４のみという非常に少ない部品点数で、且つ各部材の形状及びカム溝の形状が非常にシンプルに形成できるので、中央横フィン７を上下に回動操作したときの、上補助横フィン８及び下補助横フィン９の回動を非常にスムーズに行なうことができる。
【００４３】
一方、前可動ルーバ３の上流側の流路５内には、図３、４に示すように、後可動ルーバ４が配設される。後可動ルーバ４には、複数の縦フィン４ａが左右に一定の間隔をおいて縦に並設される。各縦フィン４ａは上部と下部に支軸４ｂが突設され、上下の支軸４ｂは流路５の上壁と下壁に設けた軸受部に軸支され、左右に回動可能に支持されている。
【００４４】
また、上記中央横フィン７には、図１に示すように、操作ノブ１６が左右長手方向に摺動可能に外嵌され、操作ノブ１６を把持して中央横フィン７を上下方向に回動操作可能とし、且つ操作ノブ１６を左右方向に摺動させることにより、後可動ルーバ４を左右に振って、左右への風向を変える構造となっている。
【００４５】
このために、例えば、連係部として操作ノブ１６の後部に、図示しないラック部が設けられ、後可動ルーバ４の１枚の縦フィン４ａに扇状の歯車部が設けられ、ラック部と歯車部が噛合し、操作ノブ１６をスライド操作したとき、縦フィン４ａが回動するようになっている。また、その縦フィン４ａを含む全ての縦フィン４ａの上部には、図３に示すように、連結軸４ｃが支軸４ｂから偏位して設けられ、それらの連結軸４ｃに１本のリンクバーが連結され、操作ノブ１６を中央横フィン７上で左右に摺動させたとき、後可動ルーバ４の各縦フィン４ａが連動して左右に回動し、風向を左右に調整する構造である。
【００４６】
次に、上記構成のレジスタの動作を、図５、６等に基づいて説明する。レジスタは、自動車の車内のインストルメントパネルやダッシュボードの部分に、背面側の空気導入口を図示しない通風ダクトに接続して装着される。
【００４７】
レジスタの正面に真直ぐ送風を行なう場合、図３のように、前可動ルーバ３の中央横フィン７は水平状態つまり真直ぐ前方を向く状態とする。この状態では、上補助横フィン８と下補助横フィン９は共に水平状態を保持し、流路５の上壁面と下壁面の収納凹部６ａ、６ｂ内に収納されている。したがって、流路５を流れる空気流は、上補助横フィン８と下補助横フィン９による空気抵抗を殆ど受けることなく、中央横フィン７の向く水平前方向に、非常に少ない圧力損失で送風される。これにより、通常の３枚の横フィンを空気吹出口に並設したレジスタに比べ、水平調整時の圧力損失を少なくすることができる。
【００４８】
一方、上記のように中央横フィン７が水平状態にあるとき、操作ノブ１６を操作して、図５のように、中央横フィン７を上向きに回動させると、リンク部材１４、係合ピン１４ａ、カム溝１１ｄを介して、その回動力がカムリンク機構１０のカムプレート１１に伝達され、カムプレート１１は、図５ａのように、中央横フィン７の回転とは逆の方向（図５の時計方向）に所定の角度だけ回動する。
【００４９】
このとき、カムプレート１１のカム溝１１ｂに係合する係合ピン１２ａとリンク部材１２の作用により、上補助横フィン８が斜め下方を向き、その下流側端部を流路５の内側に迫り出すように回動し、且つカムプレート１１のカム溝１１ｃに係合する係合ピン１３ａとリンク部材１３の作用により、下補助横フィン９が斜め上方を向くよう回動し、同時に、下補助横フィン９はその前端部を中央横フィン７側に向け、中央横フィン７と平行で且つ接近して、大形の一枚のフィンとして機能させる状態となる。
【００５０】
これにより、図５ｂのように、流路５から空気吹出口１５に向かって流れる空気流は、上補助横フィン８と下補助横フィン９によって流路５の上下中央付近に集められ、特に、流路５の上部を流れる空気流は斜め下方を向く上補助横フィン８によって中央横フィン７の上面に押し付けられるよう作用し、中央横フィン７の近傍に集められた空気流は、中央横フィン７に沿って流れ、中央横フィン７の向く斜め上方に向けて送風される。
【００５１】
また、図５ｂのように、下補助横フィン９はその前端部を中央横フィン７側に向け、中央横フィン７と平行で且つ接近して、大形の一枚のフィンとして機能させる状態となるので、中央横フィン７と下補助横フィン９に向かう空気流を効率良く斜め上方に曲げて送風することができる。さらに、上補助横フィン８と下補助横フィン９は収納凹部６ａ、６ｂから流路５に迫り出すように回動するため、上壁面及び下壁面との隙間を真直ぐ正面に流れる空気流は殆ど生じず、中央横フィン７の近傍に集められた空気流を、中央横フィン７に沿って流れ、中央横フィン７の向く斜め上方に向けて効率良く送風することができる。
【００５２】
このように、下補助横フィン９は、その前端部を中央横フィン７側に向け、中央横フィン７と平行で且つ接近して、大形の一枚のフィンとして機能させ、上補助横フィン８は、収納凹部６ａから下方に回動して、その下流側端部を流路５の内側に迫り出すように動作し、流路５を流れる空気流を中央横フィン７の周囲近傍に集めるため、中央横フィン７に沿った空気流を効果的に生成することができ、流路５の上壁面と上補助横フィン８との隙間を真直ぐ正面に流れる空気流を生じさせず、通常の３枚の横フィンを設けたレジスタのように、中央横フィン７に沿って流れる空気流を乱すことなはない。このため、前可動ルーバ３は風をスムーズに流し、中央横フィン７を上に振ったときの指向性を大幅に向上させることができる。
【００５３】
他方、中央横フィン７が水平状態にあるとき、操作ノブ１６を操作して、図６のように中央横フィン７を下向きに回動させると、上記と同様、リンク部材１４、係合ピン１４ａ、カム溝１１ｄを介して、その回動力がカムリンク機構１０のカムプレート１１に伝達され、カムプレート１１は、図６ａのように、中央横フィン７の回転とは逆の方向（図６の反時計方向）に所定の角度だけ回動する。
【００５４】
このとき、カムプレート１１のカム溝１１ｂに係合する係合ピン１２ａとリンク部材１２の作用により、下補助横フィン９が斜め上方を向き、その下流側端部を流路５の内側に迫り出すように回動し、カムプレート１１のカム溝１１ｃに係合する係合ピン１３ａとリンク部材１３の作用により、下補助横フィン９が斜め上方を向くよう回動し、同時に、上補助横フィン８はその前端部を中央横フィン７側に向け、中央横フィン７と平行で且つ接近して、大形の一枚のフィンとして機能させる状態となる。
【００５５】
これにより、図６ｂのように、流路５から空気吹出口１５に向かって流れる空気流は、上補助横フィン８と下補助横フィン９によって流路５の上下中央付近に集められ、特に、流路５の下部を流れる空気流は斜め上方を向く下補助横フィン９によって中央横フィン７の下面に押し付けられるよう作用し、中央横フィン７の近傍に集められた空気流は、中央横フィン７に沿って流れ、中央横フィン７の向く斜め下方に向けて送風される。
【００５６】
また、図６ｂのように、上補助横フィン８はその前端部を中央横フィン７側に向け、中央横フィン７と平行で且つ接近して、大形の一枚のフィンとして機能させる状態となり、これにより、中央横フィン７と上補助横フィン８に向かう空気流を効率良く斜め下方に曲げて送風することができる。さらに、上補助横フィン８と下補助横フィン９は収納凹部６ａ、６ｂから流路５に迫り出すように回動するため、上壁面及び下壁面との隙間を真直ぐ正面に流れる空気流は殆ど生じず、中央横フィン７の近傍に集められた空気流を、中央横フィン７に沿って流し、中央横フィン７の向く斜め下方に向けて効率良く送風することができる。
【００５７】
このように、上補助横フィン８は、その前端部を中央横フィン７側に向け、中央横フィン７と平行で且つ接近して、大形の一枚のフィンとして機能させ、下補助横フィン９は、収納凹部６ｂから上方に回動して、その下流側端部を流路５の内側に迫り出すように動作し、流路５を流れる空気流を中央横フィン７の周囲近傍に集める。このため、中央横フィン７に沿った空気流を効果的に生成することができ、流路５の上壁面と上補助横フィン８との隙間を真直ぐ正面に流れる空気流を生じさせず、通常の３枚の横フィンを設けたレジスタのように、中央横フィン７に沿って流れる空気流を乱すことがなく、前可動ルーバ３では風がスムーズに流れ、前可動ルーバ３の中央横フィン７を下に振ったときの指向性を大幅に向上させることができる。
【００５８】
一方、風向を左右に変える場合、中央横フィン７上の操作ノブ１６をスライド操作して、後可動ルーバ４の縦フィン４ａの向きを左右に回動させる。これにより、後可動ルーバ４の各縦フィン４ａが左右に回動してその向きを変え、空気吹出口１５から送風される風の方向が右または左に調整される。
【００５９】
なお、上記実施形態では、レジスタ本体１が、水平横方向に長く上下縦方向に短い細長の空気吹出口１５を有し、空気吹出口１５の内側前部に水平横方向に沿って前可動ルーバ３が配設された構造の薄型レジスタについて説明したが、図１に示すレジスタをそのまま９０度回転させて縦型とし、レジスタ本体が、上下縦方向に長く左右横方向に短い細長の空気吹出口を有し、空気吹出口の内側前部に縦方向に沿って前可動ルーバが配設された構造の薄型レジスタに、本発明を適用することもでき、その場合も、上記と同様な効果を奏するものである。さらに、空気吹出口及び流路の断面が正方形に近い形状を有する、所謂薄型レジスタの範疇に入らない形状のレジスタに、本発明を適用することもできる。
【００６０】
図７〜図１０は第２実施形態のレジスタを示している。このレジスタのレジスタ本体２１は、第１実施形態のレジスタと同様、水平横方向に長く上下縦方向に短い細長の空気吹出口３５を有し、空気吹出口３５の内側前部に水平横方向に沿って前可動ルーバ２３が配設されるが、空気吹出口３５は上部を上流側に後退させ下部を下流側に突き出すように傾斜して形成される。つまり、ベゼル２１ａに設けた空気吹出口３５の前面は、その短手方向の垂直面に対し斜め下側に約３０度の角度で傾斜し、所謂スラント形状となっている。
【００６１】
前可動ルーバ２３は、図８に示すように、１枚の中央横フィン２７を空気吹出口３５内側の略上下中央に水平横方向に向け回動可能に軸支する一方、空気吹出口３５内側の上壁面に設けた収納凹部２６ａに上補助横フィン２８を収納可能に且つ水平横方向に向けて回動可能に軸支し、空気吹出口３５内側の下壁面に設けた収納凹部２６ｂに下補助横フィン２９を収納可能に水平横方向に向けて回動可能に軸支して構成される。中央横フィン２７は下流側端部の両側に設けた支軸２７ａにより回動可能に軸支され、上補助横フィン２８及び下補助横フィン２９はその下流側端部を流路５側に迫り出し可能に、上流側端部の両側に突設した支軸２８ａ，２９ａにより回動可能に軸支される。
【００６２】
レジスタ本体２１のベゼル２１ａの背面側にはリテーナ２２に連結するための嵌合部が設けられ、その嵌合部にダクト状のリテーナ２２が嵌合・接続される。ベゼル２１ａの空気吹出口３５内側の左右側壁には、前可動ルーバ２３用の軸受部が形成され、両側の軸受部には、前可動ルーバ２３の中央横フィン２７の両側端部に突出した支軸２７ａが支持される。同様に、上補助横フィン２８の両側端部に突出した支軸２８ａ、及び下補助横フィン２９の両側に突出した支軸２９ａが、各々左右側壁の軸受部に支持され、中央横フィン２７、上補助横フィン２８、及び下補助横フィン２９は所定の角度範囲で上下に回動可能となっている。
【００６３】
リテーナ２２は、略方形のダクト状に形成され、内部に通風用の流路２５が形成されている。リテーナ２２の下流側縁部の上壁と下壁に軸受部が所定間隔で形成され、図８に示すように、それらの軸受部に後可動ルーバ２４の縦フィン２４ａがその上下部に突設した支軸２４ｂにより軸支され、各縦フィン２４ａは所定の角度範囲で左右に連動して回動するようになっている。このリテーナ２２の前部に、上記の如く、正面に略長方形の空気吹出口３５を開口形成したベゼル２１ａが、その空気吹出口３５を流路２５の開口部に合わせた状態で嵌着され、流路２５はリテーナ２２内からベゼル２１の空気吹出口３５まで連通して形成される。
【００６４】
前可動ルーバ２３は、図８に示すように、上下に回動可能な１枚の中央横フィン２７と、中央横フィン２７の上方位置と下方位置に配設され、中央横フィン２７の回動操作に応じて上下に回動する上補助横フィン２８及び下補助横フィン２９と、中央横フィン２７の回動に連動して上補助横フィン２８及び下補助横フィン２９を回動させるカムリンク機構３０と、を備えて構成される。
【００６５】
中央横フィン２７は、両端に支軸２７ａを突設し、一方の支軸２７ａは流路２５の側壁を貫通して外側に突出し、図７，８の如く、その支軸２７ａの先端にリンク部材３４が軸着される。中央横フィン２７の支軸２７ａはフィンの前端部近傍に位置し、上補助横フィン２８及び下補助横フィン２９の支軸２８ａ，２９ａの位置は、各フィンの上流側端部近傍に位置している。
【００６６】
また、図９のように、中央横フィン２７を上方に振った（回動した）とき、上補助横フィン２８及び下補助横フィン２９がその下流側端部が流路２５側に迫り出すように回動し、且つ、下補助横フィン２９は中央横フィン２７と平行となり且つ相互に接近して一枚の大形フィンとして機能するようになっている。つまり、中央横フィン２７を斜め上方に振ったとき、下補助横フィン２９が中央横フィン２７と平行となり且つ下補助横フィン２９の前部が中央横フィン２７の後部に接近する形態となって、１枚の大形フィンとして機能するようになっている。このような上補助横フィン２８及び下補助横フィン２９の動きはカムリンク機構３０の動作により実現される。
【００６７】
また、図１０のように、中央横フィン２７を下方に振った（回動した）とき、上補助横フィン２８及び下補助横フィン２９がその下流側端部が流路２５側に迫り出すように回動し、且つ、上補助横フィン２８が中央横フィン２７と平行となり相互に接近して一枚の大形フィンとして機能するようになっている。つまり、中央横フィン２７を斜め下方に振ったとき、上補助横フィン２８が中央横フィン２７と平行となり且つ上補助横フィン２８の前部が中央横フィン２７の後部に接近する形態となって、１枚の大形フィンとして機能するようになっている。このような上補助横フィン２８及び下補助横フィン２９の動きはカムリンク機構３０により実現される。
【００６８】
図８に示すように、上補助横フィン２８は流路２５内の上壁面に近接して配置される一方、その上壁面には収納凹部２６ａが形成され、その収納凹部２６ａ内に上補助横フィン２８が水平状態で収納され隠れるようになっている。また、下補助横フィン２９は流路２５内の下壁面に近接して配置される一方、その下壁面には収納凹部２６ｂが形成され、その収納凹部２６ｂ内に下補助横フィン２９が水平状態で収納され隠れる構造である。そして、上記の如く、上補助横フィン２８と下補助横フィン２９は、中央横フィン２７の回動操作に応じて、その上方または下方位置で、水平状態からその下流側端部を流路２５側に迫り出すように回動する。
【００６９】
上補助横フィン２８の支軸２８ａは、上補助横フィン２８の上流側端部近傍の両側に突設され、下補助横フィン２９の支軸２９ａは、下補助横フィン２９の上流側端部近傍の両側に突設される。また、図８のように、中央横フィン２７の支軸２７ａは、その下流側端部近傍（前部側）に位置し、支軸２８ａ，２８ａが上流側端部（後部側）に位置する上補助横フィン２８及び下補助横フィン２９の支軸とは相反側に位置する。
【００７０】
上記のように、中央横フィン２７を上方にまたは下方に振ったとき、カムリンク機構３０の動作により、上補助横フィン２８及び下補助横フィン２９が連動して回動するが、このカムリンク機構３０は、図７に示す如く、中央横フィン２７の支軸２７ａに軸着されたリンク部材３４と、上補助横フィン２８の支軸２８ａに軸着されたリンク部材３２と、下補助横フィン２９の支軸２９ａに軸着されたリンク部材３３と、各リンク部材３２，３３、３４に対し各々の係合ピン３２ａ，３３ａ，３４ａを介して係合するカムプレート３１と、から構成され、レジスタ本体２１の外側部に配設される。
【００７１】
カムリンク機構３０のカムプレート３１は、図７に示すように、レジスタ本体２１の側壁の外側に、回転軸３１ａによって回動可能に軸支されている。カムプレート３１には、中央横フィン２７用のカム溝３１ｄと、上補助横フィン２８と下補助横フィン２９用のカム溝３１ｂ、３１ｃが形成されている。カムプレート３１の回転軸３１ａは、図７に示すように、上補助横フィン２８と下補助横フィン２９の先端位置より上流側に配置され、その回転軸３１ａの上下両側の対称位置に、カム溝３１ｂ、３１ｃが対称形状で形成されている。中央横フィン２７用のカム溝３１ｄは、カムプレート３１の前部寄りに形成されている。
【００７２】
中央横フィン２７は、空気吹出口３５の長手方向に沿って、その略中央に配設され、フィンの両端に支軸２７ａが突設され、空気吹出口３５の内側で、両側の支軸２７ａを介して上下に回動可能に軸支される。一方の支軸２７ａは流路５の側壁を貫通して外側に突出し、その支軸２７ａの先端にリンク部材３４が軸着される。中央横フィン２７のリンク部材３４の先端に係合ピン３４ａが突設され、この係合ピン３４ａはカムプレート３１のカム溝３１ｄに係合する。
【００７３】
図７に示すように、中央横フィン２７の支軸２７ａは正面視で流路２５の略中央に位置し、中央横フィン２７の上方に上補助横フィン２８が水平に配設され、中央横フィン２７の下方に下補助横フィン２９が水平に配設される。上補助横フィン２８の両端には支軸２８ａが突設され、さらに下補助横フィン２９の両端には支軸２９ａが突設され、両側の支軸２８ａ，２９ａはレジスタ本体２１の側壁に設けた軸孔に挿通されて回動可能に支持されている。上補助横フィン２８と下補助横フィン２９の支軸２８ａ，２９ａの位置は、側面視で各フィンの上流側端部に位置し、上補助横フィン２８及び下補助横フィン２９の前部が自由端となっており、後述のように、中央横フィン２７の回動操作に応じて、上補助横フィン２８と下補助横フィン２９はその自由端の前部を流路５側に迫り出すようになっている。
【００７４】
また、図７ｂに示すように、レジスタ本体２１内の上壁面には収納凹部２６ａが形成され、支軸２８ａにより軸支される上補助横フィン２８は、その収納凹部２６ａ内に水平状態で収納され、その前端部を下側に回動可能としている。また、レジスタ本体２１内の下壁面には収納凹部２６ｂが形成され、支軸２９ａにより軸支される下補助横フィン２９は、その収納凹部２６ｂ内に水平状態で収納され、その前端部を上側に回動可能としている。
【００７５】
上補助横フィン２８の一方の支軸２８ａは側壁を貫通して外側に突出し、その支軸２８ａの先端に、リンク部材３２が軸着され、リンク部材３２の先端には、係合ピン３２ａが突設される。同様に、下補助横フィン２９の一方の支軸２９ａは側壁を貫通して外側に突出し、その支軸２９ａの先端に、リンク部材３３が軸着され、リンク部材３３の先端には、係合ピン３３ａが突設される。この係合ピン３２ａは、上記構成のカムプレート３１のカム溝３１ｂに係合し、係合ピン３３ａは、カムプレート３１のカム溝３１ｃに係合する。
【００７６】
このようなカムリンク機構３０の構成により、図９に示す如く、中央横フィン２７を上側に回動操作したとき、上補助横フィン２８はその前端部を斜め下方に向けるように回動して流路２５側に迫り出す状態となり、下補助横フィン２９はその前端部を中央横フィン２７側に向けて、中央横フィン２７と平行で且つ接近し、大形の一枚のフィンとして機能させるように回動させる。また、図１０に示すように、中央横フィン２７を下側に回動操作したとき、下補助横フィン２９はその前端部を斜め上方に向けるように回動して流路２５側に迫り出す状態となり、上補助横フィン２８はその前端部を中央横フィン２７側に向け、中央横フィン２７と平行で且つ接近して、大形の一枚のフィンとして機能させるように回動させる。
【００７７】
特に、カムリンク機構３０のカムプレート３１には、上補助横フィン２８のリンク部材３２の係合ピン３２ａが係合するカム溝３１ｂと、下補助横フィン２９のリンク部材３３の係合ピン３３ａが係合するカム溝３１ｃとが、対称位置に形成され、且つカムプレート３１の回転軸３１ａが、上補助横フィン２８及び下補助横フィン２９の先端位置より上流側に配置される構成、つまり１枚のカムプレートと３本のリンク部材のみという非常に少ない部品点数で、且つ各部材の形状及びカム溝の形状が非常にシンプルであるという構成が、採用される。
【００７８】
これにより、図７，８に示す如く、カムリンク機構３０は、その構成をコンパクトにすることができ、且つ中央横フィン２７の動きと連動して上補助横フィン２８及び下補助横フィン２９を回動させるカムリンク機構３０の動きもコンパクト化することができる。
【００７９】
したがって、薄型レジスタのレジスタ本体２１のように、その高さが低い場合であっても、カムリンク機構３０はレジスタ本体２１の外側に迫り出す部分をなくして、狭いスペースであってもレジスタを装着することができる。また、図７,８に示す如く、その作動時でも、カムリンク機構３０のカムプレート３１、リンク部材３２，３３，３４はレジスタ本体２１の上面または下面から突出することはない。
【００８０】
さらに、カムリンク機構３０は１枚のカムプレート３１と３本のリンク部材３２，３３，３４のみという非常に少ない部品点数で、且つ各部材の形状及びカム溝３１ｂ、３１ｃ、３１ｄの形状が非常にシンプルに形成できるので、中央横フィン２７を上下に回動操作したときの、上補助横フィン２８及び下補助横フィン２９の回動を非常にスムーズに行なうことができる。
【００８１】
一方、前可動ルーバ２３の上流側の流路２５内には、図８に示すように、後可動ルーバ２４が配設される。後可動ルーバ２４には、複数の縦フィン２４ａが左右に一定の間隔をおいて縦に並設される。各縦フィン２４ａは上部と下部に支軸２４ｂが突設され、上下の支軸２４ｂは流路２５の上壁と下壁に設けた軸受部に軸支され、左右に回動可能に支持されている。
【００８２】
さらに、上記中央横フィン２７には、図７に示すように、操作ノブ３６が左右長手方向に摺動可能に外嵌され、操作ノブ３６を把持して中央横フィン２７を上下方向に回動操作可能とし、且つ操作ノブ３６を左右方向に摺動させることにより、後可動ルーバ２４を左右に振って、左右への風向を変える構造となっている。
【００８３】
このために、例えば、連係部として操作ノブ３６の後部に、図示しないラック部が設けられ、後可動ルーバ２４の１枚の縦フィン２４ａに扇状の歯車部が設けられ、ラック部と歯車部が噛合し、操作ノブ３６をスライド操作したとき、縦フィン２４ａが回動するようになっている。また、その縦フィン２４ａを含む全ての縦フィン２４ａの上部には、図８に示すように、連結軸２４ｃが支軸２４ｂから偏位して設けられ、それらの連結軸２４ｃに１本のリンクバーが連結され、操作ノブ３６を中央横フィン２７上で左右に摺動させたとき、後可動ルーバ２４の各縦フィン２４ａが連動して左右に回動し、風向を左右に調整する構造となっている。
【００８４】
次に、上記構成のレジスタの動作を、図９、１０等に基づいて説明する。レジスタの正面に真直ぐ送風を行なう場合、図７のように、前可動ルーバ２３の中央横フィン２７は水平状態つまり真直ぐ前方を向く状態とする。この状態では、上補助横フィン２８と下補助横フィン２９は共に水平状態を保持し、流路２５の上壁面と下壁面の収納凹部２６ａ、２６ｂ内に収納されている。したがって、流路２５を流れる空気流は、上補助横フィン２８と下補助横フィン２９による空気抵抗を殆ど受けることなく、中央横フィン２７の向く水平前方向に、非常に少ない圧力損失で送風される。これにより、通常の３枚の横フィンを空気吹出口に並設したレジスタに比べ、水平調整時の圧力損失を少なくすることができる。
【００８５】
一方、上記のように中央横フィン７が水平状態のとき、操作ノブ３６を操作して、図９のように、中央横フィン２７を上向きに回動させると、リンク部材３４、係合ピン３４ａ、カム溝３１ｄを介して、その回動力がカムリンク機構３０のカムプレート３１に伝達され、カムプレート３１は、図９ａのように、中央横フィン２７の回転とは逆の方向（図９の時計方向）に所定の角度だけ回動する。
【００８６】
このとき、カムプレート３１のカム溝３１ｂに係合する係合ピン３２ａとリンク部材３２の作用により、上補助横フィン２８が斜め下方を向き、その下流側端部を流路２５の内側に迫り出すように回動し、且つカムプレート３１のカム溝３１ｃに係合する係合ピン３３ａとリンク部材３３の作用により、下補助横フィン２９が斜め上方を向くよう回動し、同時に、下補助横フィン２９はその前端部を中央横フィン２７側に向け、中央横フィン２７と平行で且つ接近して、大形の一枚のフィンとして機能させる状態となる。
【００８７】
これにより、図９ｂのように、流路２５から空気吹出口３５に向かって流れる空気流は、上補助横フィン２８と下補助横フィン２９によって流路２５の上下中央付近に集められ、特に、流路２５の上部を流れる空気流は斜め下方を向く上補助横フィン２８によって中央横フィン２７の上面に押し付けられるよう作用し、中央横フィン２７の近傍に集められた空気流は、中央横フィン２７に沿って流れ、中央横フィン２７の向く斜め上方に向けて送風されることとなる。
【００８８】
また、図９ｂのように、下補助横フィン２９はその前端部を中央横フィン２７側に向け、中央横フィン２７と平行で且つ接近して、大形の一枚のフィンとして機能させる状態となるので、中央横フィン２７と下補助横フィン２９に向かう空気流を効率良く斜め上方に曲げて送風することができる。さらに、上補助横フィン２８と下補助横フィン２９は収納凹部２６ａ、２６ｂから流路２５に迫り出すように回動するため、上壁面及び下壁面との隙間を真直ぐ正面に流れる空気流は殆ど生じず、中央横フィン２７の近傍に集められた空気流を、中央横フィン２７に沿って流れ、中央横フィン２７の向く斜め上方に向けて効率良く送風することができる。
【００８９】
このように、上補助横フィン２８は、収納凹部２６ａから下方に回動して、その下流側端部を流路２５の内側に迫り出すように動作し、流路２５を流れる空気流を中央横フィン２７の周囲近傍に集め、且つ下補助横フィン２９は、その前端部を中央横フィン２７側に向け、中央横フィン２７と平行で且つ接近して、大形の一枚のフィンとして機能させるため、中央横フィン２７に沿った空気流を効果的に生成することができ、流路２５の上壁面と上補助横フィン２８との隙間を真直ぐ正面に流れる空気流を生じさせず、通常の３枚の横フィンを設けたレジスタのように、中央横フィン７に沿って流れる空気流を乱すことなはない。このため、薄型レジスタで細く横長の空気吹出口３５を有するレジスタであっても、前可動ルーバ２３の中央横フィン２７を上に振ったときの指向性を大幅に向上させることができる。
【００９０】
他方、中央横フィン２７が水平状態にあるとき、操作ノブ３６を操作して、図１０のように中央横フィン２７を下向きに回動させると、リンク部材３４、係合ピン３４ａ、カム溝３１ｄを介して、その回動力がカムリンク機構３０のカムプレート３１に伝達され、カムプレート３１は、図１０ａのように、中央横フィン２７の回転とは逆の方向（図１０の反時計方向）に所定の角度だけ回動する。
【００９１】
このとき、カムプレート３１のカム溝３１ｂに係合する係合ピン３２ａとリンク部材３２の作用により、下補助横フィン２９が斜め上方を向き、その下流側端部を流路２５の内側に迫り出すように回動し、カムプレート３１のカム溝３１ｃに係合する係合ピン３３ａとリンク部材３３の作用により、下補助横フィン２９が斜め上方を向くよう回動し、同時に、上補助横フィン２８はその前端部を中央横フィン２７側に向け、中央横フィン７と平行で且つ接近して、大形の一枚のフィンとして機能させる状態となる。
【００９２】
これにより、図１０ｂのように、流路５から空気吹出口３５に向かって流れる空気流は、上補助横フィン２８と下補助横フィン２９によって流路２５の上下中央付近に集められる。特に、流路２５の下部を流れる空気流は斜め上方を向く下補助横フィン２９によって中央横フィン２７の下面に押し付けられるよう作用するので、流路２５下部を流れる空気流が真直ぐに吹出されて下方への空気流が乱されることはなく、中央横フィン２７の近傍に集められた空気流は、中央横フィン２７に沿って流れる。このため、特に、細く横長の空気吹出口３５が傾斜してその下部が突出形状となっている場合でも、中央横フィン２７の向く斜め下方に空気流を効率良く曲げて送風することができる。
【００９３】
さらに、図１０ｂのように、上補助横フィン２８はその前端部を中央横フィン２７側に向け、中央横フィン２７と平行で且つ接近して、大形の一枚のフィンとして機能させる状態となるので、空気吹出口３５が傾斜してその下部が突出形状となっている場合でも、中央横フィン２７と上補助横フィン２８に向かう空気流を効率良く斜め下方に曲げて送風することができる。
【００９４】
このように、下補助横フィン２９は、収納凹部２６ｂから上方に回動して、その下流側端部を流路２５の内側に迫り出すように動作し、流路２５を流れる空気流を中央横フィン２７の周囲近傍に集め、且つ上補助横フィン２８は、その前端部を中央横フィン２７側に向け、中央横フィン２７と平行で且つ接近して、大形の一枚のフィンとして機能させるため、中央横フィン２７に沿った空気流を効果的に生成し、しかも、流路２５の上壁面と上補助横フィン２８との隙間を真直ぐ正面に流れる空気流を生じさせず、通常の３枚の横フィンを設けたレジスタのように、中央横フィン７に沿って流れる空気流を乱すことがない。このため、薄型レジスタであって空気吹出口３５がその短手方向の下側に傾斜している場合でも、前可動ルーバ２３の中央横フィン２７を下側に振ったときの指向性を大幅に向上させることができる。
【００９５】
図１１〜図１５は第３実施形態のレジスタを示している。このレジスタのレジスタ本体４１は、同図に示すように、第２実施形態のレジスタを９０度横転させた縦型形状であり、上下縦方向に長く水平横方向に短い縦長の長方形の空気吹出口５５をベゼル４１ａに有し、空気吹出口５５の内側前部に、上下縦方向に沿って前可動ルーバ４３が配設され、正面視で空気吹出口５５は、一方（左側）の前部を上流側に後退させ、他方（右側）の前部を下流側に突き出すように傾斜している。
【００９６】
レジスタ本体４１のベゼル４１ａの背面側にはリテーナ４２に連結するための嵌合部が設けられ、その嵌合部にダクト状のリテーナ４２が嵌合・接続される。ベゼル４１ａの空気吹出口５５内側の上下壁部には、前可動ルーバ４３用の軸受部が形成され、上下の軸受部には、前可動ルーバ４３の中央縦フィン４７の上下端部に突出した支軸２７ａが支持される。同様に、後退側補助縦フィン４８の上下に突出した支軸４８ａ、及び突出側補助横フィン４９の上下に突出した支軸４９ａが、各々上下の軸受部に支持され、中央縦フィン４７、後退側補助縦フィン４８、及び突出側補助横フィン４９は所定の角度範囲で左右に回動可能となっている。
【００９７】
リテーナ４２は、略方形のダクト状に形成され、内部に通風用の流路４５が形成されている。リテーナ４２の下流側縁部の左右壁部に軸受部が所定間隔で形成され、図１３に示すように、それらの軸受部に後可動ルーバ４４の横フィン４４ａがその左右端部に突設した支軸４４ｂにより軸支され、各横フィン４４ａは所定の角度範囲で上下に連動して回動するようになっている。このリテーナ４２の前部に、正面に縦型長方形の空気吹出口５５を開口形成したベゼル４１ａが、その空気吹出口５５を流路４５の開口部に合わせた状態で嵌着され、流路４５はリテーナ４２内からベゼル４１ａの空気吹出口５５まで連通して形成される。
【００９８】
図１３，１４に示す如く、前可動ルーバ４３は、１枚の中央縦フィン４７を空気吹出口５５内側の略左右中央に、上下縦方向に向けて支軸４７ａにより回動可能に軸支し、さらに、中央縦フィン４７の両側に、後退側補助縦フィン４８及び突出側補助縦フィン４９が上下縦方向に配置され、上下の支軸４８ａ，４９ａにより回動可能に軸支されて構成される。
【００９９】
空気吹出口５５内側の後退側の側壁面には収納凹部４６ａが設けられ、後退側補助縦フィン４８は収納凹部４６ａ内に収納可能に且つ上下縦方向に向けて支軸４８ａにより回動可能に軸支される。同様に、空気吹出口５５内側の突出側の側壁面に収納凹部４６ｂが設けられ、突出側補助縦フィン４９が収納凹部４６ｂ内に収納可能に、上下縦方向に向けて支軸４９ａにより回動可能に軸支される。中央縦フィン４７の支軸４７ａは、フィンの下流側端部に位置するとともに、レジスタ本体４１内の流路４５の最も下流側端部、つまり空気吹出口５５の内側の上壁部と下壁部に位置して軸支され、後退側補助縦フィン４８の支軸４８ａ及び突出側補助縦フィン４９の支軸４９ａはフィンの上流側端部に位置している。
【０１００】
後退側補助縦フィン４８及び突出側補助縦フィン４９は、その上流側端部に設けた支軸４８ａ，４９ａにより、その下流側端部を流路４５側に迫り出すように回動可能に軸支される。特に、図１４のように、中央縦フィン４７を左側つまり空気吹出口５５の後退側に振ったとき、後退側補助縦フィン４８はその下流側端部を流路４５側に向けて迫り出し、空気流を中央縦フィン４７側に押し付けるようにガイドし、且つ突出側補助縦フィン４９は中央縦フィン４７に対し平行状態となり且つ突出側補助縦フィン４９の前部が中央縦フィン４７の後部に接近して大形の一枚のフィンとして機能する状態となるように回動する。
【０１０１】
同様に、図１５に示す如く、中央縦フィン４７を右側つまり空気吹出口５５の突出側に振ったとき、突出側補助縦フィン４９はその下流側端部を流路４５側に向けて迫り出し、空気流を中央縦フィン４７側に押し付けるようにガイドし、且つ後退側補助縦フィン４８は中央縦フィン５７と平行状態となり且つ後退側補助縦フィン４８の前部が中央縦フィン４７の後部に接近して大形の一枚のフィンとして機能するように回動するようになっている。このような後退側補助縦フィン４８及び突出側補助縦フィン４９の動きはカムリンク機構５０により実現される。
【０１０２】
カムリンク機構５０は、図１１のように、レジスタ本体４１の底部に設けられ、中央縦フィン４７を上方にまたは下方に振ったとき、後退側補助縦フィン４８及び突出側補助縦フィン４９を、連動して回動させるように構成される。カムリンク機構５０は、図１２に示す如く、中央縦フィン４７の支軸４７ａに軸着されたリンク部材５４と、後退側補助縦フィン４８の支軸４８ａに軸着されたリンク部材５２と、突出側補助横フィン４９の支軸４９ａに軸着されたリンク部材５３と、各リンク部材５２，５３、５４に対し各々の係合ピン５２ａ，５３ａ，５４ａを介して係合するカムプレート５１とから構成され、レジスタ本体４１の底部外側に設けられる。
【０１０３】
カムリンク機構５０のカムプレート５１は、図１２に示すように、レジスタ本体４１の底壁の外側に、回転軸５１ａによって回動可能に軸支されている。カムプレート５１には、中央縦フィン４７用のカム溝５１ｄと、後退側補助縦フィン４８と突出側補助横フィン４９用のカム溝５１ｂ、５１ｃが形成されている。カムプレート５１の回転軸５１ａは、図１２に示すように、後退側補助縦フィン４８と突出側補助横フィン４９の先端位置より上流側に配置され、その回転軸５１ａの左右両側の対称位置に、カム溝５１ｂ、５１ｃが対称形状で形成されている。中央縦フィン４７用のカム溝５１ｄは、カムプレート５１の前部寄りに形成されている。
【０１０４】
中央縦フィン４７は、空気吹出口５５の長手方向に沿って、その略中央に縦に配設され、フィンの上下両端に支軸４７ａが突設され、空気吹出口５５の内側で、上下の支軸４７ａを介して左右に回動可能に軸支される。一方の支軸４７ａは流路４５の底壁を貫通して下側に突出し、その支軸４７ａの先端にリンク部材５４が軸着される。中央縦フィン４７のリンク部材５４の先端に係合ピン５４ａが突設され、この係合ピン５４ａはカムプレート５１のカム溝５１ｄに係合する。
【０１０５】
図１２に示すように、中央縦フィン４７の支軸４７ａは流路４５の略中央に位置し、中央縦フィン４７の左側に後退側補助縦フィン２８が水平に配設され、中央縦フィン４７の右側に突出側補助縦フィン４９が水平に配設される。後退側補助縦フィン４８の上下端には支軸４８ａが突設され、さらに突出側補助縦フィン４９の上下端には支軸４９ａが突設され、上下の支軸４８ａ，４９ａはレジスタ本体４１の側壁に設けた軸孔に挿通されて回動可能に支持されている。後退側補助縦フィン４８と突出側補助縦フィン４９の支軸４８ａ，４９ａの位置は、各フィンの上流側端部に位置し、後退側補助縦フィン４８及び突出側補助縦フィン４９の前部が自由端となっており、後述のように、中央縦フィン４７の回動操作に応じて、後退側補助縦フィン４８と突出側補助縦フィン４９はその自由端の前部を流路４５側に迫り出すようになっている。
【０１０６】
また、図１３に示すように、レジスタ本体４１内の左壁面には収納凹部４６ａが形成され、支軸４８ａにより軸支される後退側補助縦フィン４８は、その収納凹部４６ａ内に縦に収納され、その前端部を流路側に迫り出すように回動可能としている。また、レジスタ本体４１内の右壁面には収納凹部４６ｂが形成され、支軸４９ａにより軸支される突出側補助縦フィン４９が、その収納凹部４６ｂ内に縦に収納され、その前端部を流路側に迫り出すように回動可能としている。
【０１０７】
後退側補助縦フィン４８の下側の支軸４８ａは底壁を貫通して外側に突出し、その支軸４８ａの先端に、リンク部材５２が軸着され、リンク部材５２の先端には、係合ピン５２ａが突設される。同様に、突出側補助縦フィン４９の下側の支軸４９ａは底壁を貫通して外側に突出し、その支軸４９ａの先端に、リンク部材５３が軸着され、リンク部材５３の先端には、係合ピン５３ａが突設される。この係合ピン５２ａは、上記構成のカムプレート５１のカム溝５１ｂに係合し、係合ピン５３ａは、カムプレート５１のカム溝５１ｃに係合する。
【０１０８】
このようなカムリンク機構５０の構成により、図１４のように、中央縦フィン４７を左側に回動操作したとき、後退側補助縦フィン４８はその前端部を斜め迫り出すように回動して流路４５側に迫り出す状態となり、一方、突出側補助縦フィン４９はその前端部を中央縦フィン４７側に向けて、中央縦フィン４７と平行で且つ接近し、大形の一枚のフィンとして機能させるように回動させる。また、図１５のように、中央縦フィン４７を右側に回動操作したとき、後退側補助縦フィン４８はその前端部を中央縦フィン４７側に向け、中央縦フィン４７と平行で且つ接近して、大形の一枚のフィンとして機能させるように回動させ、後退側補助縦フィン４８はその前端部を斜めに迫り出すように回動して流路４５側に迫り出す状態となる。
【０１０９】
また、上記のように、カムリンク機構５０のカムプレート５１には、後退側補助縦フィン４８のリンク部材５２の係合ピン５２ａが係合するカム溝５１ｂと、突出側補助縦フィン４９のリンク部材５３の係合ピン５３ａが係合するカム溝５１ｃとが、対称形状で形成され、且つカムプレート５１の回転軸５１ａが、後退側補助縦フィン４８及び突出側補助縦フィン４９の先端位置より上流側に配置されるように、カムプレート５１が構成されるので、図１４，１５に示すように、中央縦フィン４７の動きと連動して後退側補助縦フィン４８及び突出側補助縦フィン４９を回動させるカムリンク機構５０の形状及びその動きがコンパクトになる。これにより、レジスタ本体４１の外側に迫り出す部分をなくして、狭いスペースであってもレジスタを装着することができる。
【０１１０】
さらに、上記中央縦フィン４７には、図１１に示すように、操作ノブ５６が上下方向に摺動可能に外嵌され、操作ノブ５６を把持して中央縦フィン４７を左右方向に回動操作可能とし、且つ操作ノブ５６を上下方向に摺動させることにより、後可動ルーバ４４を上下に振って、上下への風向を変える構造となっている。
【０１１１】
このために、例えば、連係部として操作ノブ５６の後部に、図示しないラック部が設けられ、後可動ルーバ４４の１枚の横フィン４４ａに扇状の歯車部が設けられ、ラック部と歯車部が噛合し、操作ノブ５６をスライド操作したとき、横フィン４４ａが回動するようになっている。また、その横フィン４４ａを含む全ての横フィン４４ａの端部には、図１３に示すように、連結軸４４ｃが支軸４４ｂから偏位して設けられ、それらの連結軸４４ｃに１本のリンクバーが連結され、操作ノブ５６を中央縦フィン４７上で上下に摺動させたとき、後可動ルーバ４４の各横フィン４４ａが連動して上下に回動し、風向を上下に調整する構造となっている。
【０１１２】
次に、上記構成のレジスタの動作を、図１４、１５等に基づいて説明する。レジスタの正面に真直ぐ送風を行なう場合、図１１、１３のように、前可動ルーバ４３の中央縦フィン４７は流路４５の前後方向と平行に真直ぐ前方を向く状態とする。この状態では、後退側補助縦フィン４８と突出側補助縦フィン４９は共に流路４５の前後方向と平行状態を保持し、流路４５の両側壁面の収納凹部４６ａ、４６ｂ内に収納されている。したがって、流路４５を流れる空気流は、後退側補助縦フィン４８と突出側補助縦フィン４９による空気抵抗を殆ど受けることなく、中央縦フィン４７の向く前方向に、非常に少ない圧力損失で送風される。これにより、通常の３枚の横フィンを空気吹出口に並設したレジスタに比べ、圧力損失を少なくすることができる。
【０１１３】
一方、操作ノブ５６を操作して、図１４のように、中央縦フィン４７を左に回動させると、リンク部材５４、係合ピン５４ａ、カム溝５１ｄを介して、その回動力がカムリンク機構５０のカムプレート５１に伝達され、カムプレート５１は、図１４ａのように、中央縦フィン４７の回転とは逆の方向（図１４の時計方向）に所定の角度だけ回動する。
【０１１４】
このとき、カムプレート５１のカム溝５１ｂに係合する係合ピン５２ａとリンク部材５２の作用により、後退側補助縦フィン４８がその下流側端部を流路４５の内側に迫り出すように回動し、且つカムプレート５１のカム溝５１ｃに係合する係合ピン５３ａとリンク部材５３の作用により、突出側補助縦フィン４９が斜めに流路側に迫り出すように回動し、同時に、突出側補助縦フィン４９はその前端部を中央縦フィン４７側に向け、中央縦フィン４７と平行で且つ接近して、大形の一枚のフィンとして機能させる状態となる。
【０１１５】
これにより、図１４ｂのように、流路４５から空気吹出口５５に向かって流れる空気流は、後退側補助縦フィン４８と突出側補助縦フィン４９によって流路４５の中央付近に集められ、特に、流路４５の左側壁部近傍を流れる空気流は後退側補助縦フィン４８によって中央縦フィン４７の側面に押し付けられるよう作用し、中央縦フィン４７の近傍に集められた空気流は、中央縦フィン４７に沿って流れ、中央縦フィン４７の向く斜め左方に向けて送風されることとなる。
【０１１６】
また、図１４ｂのように、突出側補助縦フィン４９はその前端部を中央縦フィン４７側に向け、中央縦フィン４７と平行で且つ接近して、大形の一枚のフィンとして機能させる状態となるので、中央縦フィン４７と突出側補助縦フィン４９に向かう空気流を効率良く斜め左方に曲げて送風することができる。さらに、後退側補助縦フィン４８と突出側補助縦フィン４９は収納凹部４６ａ、４６ｂから流路４５に迫り出すように回動するため、側壁面との隙間を真直ぐ正面に流れる空気流は殆ど生じず、中央縦フィン４７の近傍に集められた空気流を、中央縦フィン４７に沿って流れ、中央縦フィン４７の向く斜め左方に向けて効率良く送風することができる。
【０１１７】
このように、後退側補助縦フィン４８は、収納凹部４６ａから回動して、その下流側端部を流路４５の内側に迫り出すように動作し、流路４５を流れる空気流を中央縦フィン４７の周囲近傍に集め、且つ突出側補助縦フィン４９は、その前端部を中央縦フィン４７側に向け、中央縦フィン４７と平行で且つ接近して、大形の一枚のフィンとして機能させるため、中央縦フィン４７に沿った空気流を効果的に生成することができ、流路４５の壁面と後退側補助縦フィン４８との隙間を真直ぐ正面に流れる空気流を生じさせず、通常の３枚の横フィンを設けたレジスタのように、中央縦フィン４７に沿って流れる空気流を乱すことなはない。このため、薄型レジスタで細く横長の空気吹出口５５を有するレジスタであっても、前可動ルーバ４３の中央縦フィン４７を振ったときの指向性を大幅に向上させることができる。
【０１１８】
他方、中央縦フィン４７が図１１の状態にあるとき、操作ノブ５６を操作して、図１５のように中央縦フィン４７を右に回動させると、リンク部材５４、係合ピン５４ａ、カム溝５１ｄを介して、その回動力がカムリンク機構５０のカムプレート５１に伝達され、カムプレート５１は、図１５ａのように、中央縦フィン４７の回転とは逆の方向（図１５の反時計方向）に所定の角度だけ回動する。
【０１１９】
このとき、カムプレート５１のカム溝５１ｂに係合する係合ピン５２ａとリンク部材５２の作用により、突出側補助縦フィン４９が、図１５ｂのように、その下流側端部を流路４５の内側に迫り出すように回動し、同時に、後退側補助縦フィン４８はその前端部を中央縦フィン４７側に向け、中央縦フィン４７と平行で且つ接近して、大形の一枚のフィンとして機能させる状態となる。
【０１２０】
これにより、図１５ｂのように、流路４５から空気吹出口５５に向かって流れる空気流は、後退側補助縦フィン４８と突出側補助縦フィン４９によって流路４５の中央付近に集められる。特に、流路４５の右壁面近傍を流れる空気流は突出側補助縦フィン４９によって中央縦フィン４７の側面に押し付けられるよう作用するので、流路４５内側部を流れる空気流が真直ぐに吹出されて下方への空気流が乱されることはなく、中央縦フィン４７の近傍に集められた空気流は、中央縦フィン４７に沿って流れる。このため、細く縦長の空気吹出口５５が右に傾斜してその右側部が突出形状となっている場合でも、中央縦フィン４７の向く右方向に空気流を効率良く曲げて送風することができる。
【０１２１】
さらに、図１５ｂのように、後退側補助縦フィン４８はその前端部を中央縦フィン４７側に向け、中央縦フィン４７と平行で且つ接近して、大形の一枚のフィンとして機能させる状態となるので、空気吹出口５５が傾斜してその右側が突出形状となっている場合でも、中央縦フィン４７と後退側補助縦フィン４８のガイドにより空気流を効率良く右に曲げて送風することができる。
【０１２２】
このように、突出側補助縦フィン４９は、収納凹部４６ｂから回動して、その下流側端部を流路４５の内側に迫り出すように動作し、流路４５を流れる空気流を中央縦フィン４７の周囲近傍に集め、且つ後退側補助縦フィン４８は、その前端部を中央縦フィン４７側に向け、中央縦フィン４７と平行で且つ接近して、大形の一枚のフィンとして機能させるため、中央縦フィン４７に沿った空気流を効果的に生成し、しかも、流路４５の側壁面と後退側補助縦フィン４８との隙間を真直ぐ正面に流れる空気流を生じさせず、通常の３枚の横フィンを設けたレジスタのように、中央縦フィン４７に沿って流れる空気流を乱すことがない。このため、薄型レジスタであって空気吹出口５５がその短手方向の左右に傾斜している場合でも、前可動ルーバ４３の中央縦フィン４７を左右に振ったときの指向性を大幅に向上させることができる。
【符号の説明】
【０１２３】
１      レジスタ本体
１ａ    ベゼル
２      リテーナ
３      前可動ルーバ
４      後可動ルーバ
４ａ    縦フィン
４ｂ    支軸
４ｃ    連結軸
５      流路
６ａ    収納凹部
６ｂ    収納凹部
７      中央横フィン
７ａ    支軸
８      上補助横フィン
８ａ    支軸
９      下補助横フィン
９ａ    支軸
１０    カムリンク機構
１１    カムプレート
１１ａ  回転軸
１１ｂ  カム溝
１１ｃ  カム溝
１１ｄ  カム溝
１２    リンク部材
１２ａ  係合ピン
１３    リンク部材
１３ａ  係合ピン
１４    リンク部材
１４ａ  係合ピン
１５    空気吹出口
１６    操作ノブ
２１    レジスタ本体
２１ａ  ベゼル
２２    リテーナ
２３    前可動ルーバ
２４    後可動ルーバ
２４ａ  縦フィン
２４ｂ  支軸
２４ｃ  連結軸
２５    流路
２６ａ  収納凹部
２６ｂ  収納凹部
２７    中央横フィン
２７ａ  支軸
２８    上補助横フィン
２８ａ  支軸
２９    下補助横フィン
２９ａ  支軸
３０    カムリンク機構
３１    カムプレート
３１ａ  回転軸
３１ｂ  カム溝
３１ｃ  カム溝
３１ｄ  カム溝
３２    リンク部材
３２ａ  係合ピン
３３    リンク部材
３３ａ  係合ピン
３４    リンク部材
３４ａ  係合ピン
３５    空気吹出口
３６    操作ノブ
４１    レジスタ本体
４１ａ  ベゼル
４２    リテーナ
４３    前可動ルーバ
４４    後可動ルーバ
４４ａ  横フィン
４４ｂ  支軸
４４ｃ  連結軸
４５    流路
４６ａ  収納凹部
４６ｂ  収納凹部
４７    中央縦フィン
４７ａ  支軸
４８    後退側補助縦フィン
４８ａ  支軸
４９    突出側補助縦フィン
４９ａ  支軸
５０    カムリンク機構
５１    カムプレート
５１ａ  回転軸
５１ｂ  カム溝
５１ｃ  カム溝
５１ｄ  カム溝
５２    リンク部材
５２ａ  係合ピン
５３    リンク部材
５３ａ  係合ピン
５４    リンク部材
５４ａ  係合ピン
５５    空気吹出口
５６    操作ノブ
５７    中央縦フィン
【図１】
2014031055.tif 000003
【図２】
2014031055.tif 000004
【図３】
2014031055.tif 000005
【図４】
2014031055.tif 000006
【図５】
2014031055.tif 000007
【図６】
2014031055.tif 000008
【図７】
2014031055.tif 000009
【図８】
2014031055.tif 000010
【図９】
2014031055.tif 000011
【図１０】
2014031055.tif 000012
【図１１】
2014031055.tif 000013
【図１２】
2014031055.tif 000014
【図１３】
2014031055.tif 000015
【図１４】
2014031055.tif 000016
【図１５】
2014031055.tif 000017